(57)【要約】    【課題】  片手作業で簡単に開閉が行え、又閉塞状態では確実にハッチカバーを固定でき、突風等でもガタツキが生じないルーフデッキ用ハッチを提供する。    【解決手段】  ルーフデッキに形成された開口部を囲繞する立上がり部１６と、蝶番を介して開閉可能に設けられ、前記立上がり部に外嵌し、前記開口部を閉塞するハッチカバー１７と、前記立上がり部に回転可能に設けられたロック部材２５，２６と、前記ハッチカバーの下面に設けられた係止部材２７とを具備し、前記ロック部材を回転させることで該ロック部材と前記係止部材とが係合離脱可能とした。    【選択図】          図４
2009280992.tif 000002
【特許請求の範囲】
【請求項１】
ルーフデッキに形成された開口部を囲繞する立上がり部と、蝶番を介して開閉可能に設けられ、前記立上がり部に外嵌し、前記開口部を閉塞するハッチカバーと、前記立上がり部に回転可能に設けられたロック部材と、前記ハッチカバーの下面に設けられた係止部材とを具備し、前記ロック部材を回転させることで該ロック部材と前記係止部材とが係合離脱可能としたことを特徴とするルーフデッキ用ハッチ。
【請求項２】
前記ロック部材は、ピンを介して水平方向に回転可能に設けられたボルトと、該ボルトに螺合したナットであり、前記係止部材は水平方向に開口したＵ字孔を有する係止片であり、前記ボルトが前記Ｕ字孔に嵌脱可能であり、嵌合した状態で前記ナットを締込むことで前記ボルトが前記係止片に係止される様構成した請求項１のルーフデッキ用ハッチ。
【請求項３】
前記ピンは、前記ボルトが前記係止片から離反する方向に回転する様傾斜した請求項２のルーフデッキ用ハッチ。
【請求項４】
前記ロック部材はピンを介して鉛直方向に回転可能に設けられ、上端に係合ピンを有するロックレバーであり、前記係止部材は係止片を有し、前記ロックレバーを回転することで、前記係合ピンと前記係止片とが嵌脱する様構成した請求項１のルーフデッキ用ハッチ。
【請求項５】
前記ロック部材はピンを介して鉛直方向に回転可能に設けられ、上端にフックを有するロックレバーであり、前記係止部材は係止ピンを有し、前記ロックレバーを回転することで、前記フックと前記係止ピンとが嵌脱する様構成した請求項１のルーフデッキ用ハッチ。
【発明の詳細な説明】
【技術分野】
【０００１】
本発明は、立体駐車場等の構築物のルーフデッキに設けられるルーフデッキ用ハッチに関するものである。
【背景技術】
【０００２】
図７は、構築物の一例として立体駐車場１を示しており、該立体駐車場１のルーフデッキ２及びルーフデッキ２に付帯する樋等設備の点検保守を行う為の出入り用としてルーフデッキ用ハッチ３が設けられる。
【０００３】
先ず図８〜図１０に於いて、ルーフデッキ２の構造、従来のルーフデッキ用ハッチ３について説明する。
【０００４】
図８中、４はＨ型鋼から成る天井梁であり、５は外壁を示している。
【０００５】
前記天井梁４には天井胴縁６が所定間隔で掛渡され、該天井胴縁６に断面が波形状（図示では台形波）に形成されたカラー鉄板７が取付けられ、ルーフデッキ２を構成している。
【０００６】
前記外壁５は、壁部鉄骨（図示せず）に取付けられた縦胴縁８及び該縦胴縁８に張付けられた外壁パネル９によって構成され、該外壁パネル９の上端には笠木１０が被せられている。又、前記外壁５の上端から前記ルーフデッキ２に掛渡って水切り１１が設けられている。
【０００７】
前記ルーフデッキ用ハッチ３は、前記天井梁４の近傍に設けられる。
【０００８】
前記天井胴縁６、前記カラー鉄板７は、所要部分切除され、矩形の開口部１２が形成される。該開口部１２を覆う様にハッチ用水切り１３が被せられている。
【０００９】
該ハッチ用水切り１３は、前記開口部１２の周縁に臨接する前記カラー鉄板７の頂部に掛渡る水平部１４と該水平部１４から下方に傾斜し、前記カラー鉄板７の傾斜面に当接するスカート部１５と、前記水平部１４に設けられ、前記開口部１２と略同心で、略同形状の出入口を形成する矩形の立上がり部１６とを有している。
【００１０】
前記ハッチ用水切り１３は、前記カラー鉄板７の波と直角の方向（図８に於いて紙面に対して垂直な方向）に長く、前記カラー鉄板７の谷部から雨水が前記開口部１２に浸入することを防止している。
【００１１】
前記立上がり部１６にハッチカバー１７が被せられ、前記開口部１２を閉塞している。
【００１２】
壁部鉄骨にはタラップ（図示せず）が設けられており、該タラップの上端は前記開口部１２の近傍に達している。
【００１３】
前記立体駐車場１の屋内から前記ルーフデッキ２に出るには、前記タラップを昇り、前記ハッチカバー１７を押上げて前記開口部１２を開放する。又、該開口部１２を閉じる場合は、屋内から該開口部１２を通して前記ハッチカバー１７を操作して前記開口部１２を閉塞する。
【００１４】
屋内側から、前記ハッチカバー１７の開閉を容易とする為、図９に示される様に、該ハッチカバー１７は蝶番１９を介して前記水平部１４に取付けられ、又前記ハッチカバー１７の内面にはコの字状の取手１８が取付けられている。
【００１５】
又、前記ハッチカバー１７は、突風等により、飛ばされない様、又開かない様、前記取手１８には鎖２１が係着され、前記ハッチカバー１７の閉塞状態では前記鎖２１の他端が前記タラップ（図示せず）に係着されていた。
【００１６】
この為、前記ハッチカバー１７の開閉作業には、前記鎖２１と前記タラップとの係着解除、係着の作業が必要となり、斯かる作業は片手作業となり、又高所作業でもあるので、作業性が悪く、又安全性に欠けるものであった。
【００１７】
又、前記鎖２１には弛みがあり、突風等で前記ハッチカバー１７がガタツクことは避けられなかった。
【００１８】
【特許文献１】特開平１１−２５６８６１号公報
【発明の開示】
【発明が解決しようとする課題】
【００１９】
本発明は斯かる実情に鑑み、片手作業で簡単に開閉が行え、又閉塞状態では確実にハッチカバーを固定でき、突風等でもガタツキが生じないルーフデッキ用ハッチを提供するものである。
【課題を解決するための手段】
【００２０】
本発明は、ルーフデッキに形成された開口部を囲繞する立上がり部と、蝶番を介して開閉可能に設けられ、前記立上がり部に外嵌し、前記開口部を閉塞するハッチカバーと、前記立上がり部に回転可能に設けられたロック部材と、前記ハッチカバーの下面に設けられた係止部材とを具備し、前記ロック部材を回転させることで該ロック部材と前記係止部材とが係合離脱可能としたルーフデッキ用ハッチに係るものである。
【００２１】
又前記ロック部材は、ピンを介して水平方向に回転可能に設けられたボルトと、該ボルトに螺合したナットであり、前記係止部材は水平方向に開口したＵ字孔を有する係止片であり、前記ボルトが前記Ｕ字孔に嵌脱可能であり、嵌合した状態で前記ナットを締込むことで前記ボルトが前記係止片に係止される様構成したルーフデッキ用ハッチに係り、又前記ピンは、前記ボルトが前記係止片から離反する方向に回転する様傾斜したルーフデッキ用ハッチに係り、又前記ロック部材はピンを介して鉛直方向に回転可能に設けられ、上端に係合ピンを有するロックレバーであり、前記係止部材は係止片を有し、前記ロックレバーを回転することで、前記係合ピンと前記係止片とが嵌脱する様構成したルーフデッキ用ハッチに係り、更に又前記ロック部材はピンを介して鉛直方向に回転可能に設けられ、上端にフックを有するロックレバーであり、前記係止部材は係止ピンを有し、前記ロックレバーを回転することで、前記フックと前記係止ピンとが嵌脱する様構成したルーフデッキ用ハッチに係るものである。
【発明の効果】
【００２２】
本発明によれば、ルーフデッキに形成された開口部を囲繞する立上がり部と、蝶番を介して開閉可能に設けられ、前記立上がり部に外嵌し、前記開口部を閉塞するハッチカバーと、前記立上がり部に回転可能に設けられたロック部材と、前記ハッチカバーの下面に設けられた係止部材とを具備し、前記ロック部材を回転させることで該ロック部材と前記係止部材とが係合離脱可能としたので、ハッチカバーの固定解除が片手で容易に行え、又固定した状態ではガタツキがなく、作業性が容易で而も安全性が向上するという優れた効果を発揮する。
【発明を実施するための最良の形態】
【００２３】
以下、図面を参照しつつ本発明を実施する為の最良の形態を説明する。
【００２４】
図１〜図５に於いて、本発明の第１の実施の形態について説明する。
【００２５】
尚、図１〜図５中、図８〜図１０中で示したものと同等のものには同符号を付しその説明を省略する。
【００２６】
ハッチカバー１７は蝶番１９を介して開閉可能に水平部１４に取付けられ、前記ハッチカバー１７の内面には取手１８が設けられている。
【００２７】
立上がり部１６の前記蝶番１９と対向する面には、Ｕ字状の支持金具２３が左右２箇所に固着され、該支持金具２３にはフランジ付ピン２４が鉛直方向に挿入され、該フランジ付ピン２４を介してロックボルト２５が前記支持金具２３に水平方向に回転自在に設けられている。
【００２８】
又、前記ロックボルト２５には蝶ナット２６が螺合されている。又、前記ロックボルト２５の先端の一部は螺子山が潰され、前記蝶ナット２６の抜止となっている。尚、前記蝶ナット２６に代え、ローレット螺子を用いてもよい。
【００２９】
前記ハッチカバー１７の内面には、該ハッチカバー１７が閉鎖状態で、前記支持金具２３と対向する２箇所の位置に係止片２７が立設されている。該係止片２７には一端が開放されているＵ字孔２８が穿設され、該Ｕ字孔２８には前記ロックボルト２５が水平方向から嵌脱可能となっている。該ロックボルト２５、前記蝶ナット２６はロック部材を構成する。
【００３０】
前記ハッチカバー１７の開閉について説明する。
【００３１】
図４は前記ハッチカバー１７が閉鎖され、前記ロックボルト２５、前記蝶ナット２６により、ロックされた状態である。
【００３２】
前記ハッチカバー１７を開く場合は、前記蝶ナット２６を緩め、前記ロックボルト２５を回転可能とする。該ロックボルト２５を回転し、該ロックボルト２５を前記Ｕ字孔２８から外す。
【００３３】
前記ハッチカバー１７を拘束するものがなくなり、前記ハッチカバー１７を押上げれば、開口部１２が開放される（図８参照）。
【００３４】
又、前記開口部１２を閉じる場合は、前記ハッチカバー１７を閉じ、前記ロックボルト２５を回して前記Ｕ字孔２８に嵌合させ、前記蝶ナット２６を締込む。該蝶ナット２６により前記係止片２７が固定され、前記ハッチカバー１７が閉鎖状態でロックされる。
【００３５】
前記蝶ナット２６を緩め、締込み、又前記ロックボルト２５を回転する作業は、簡単な片手作業であるので、作業性はよく、又作業者に負担が掛る作業ではないので、安全である。
【００３６】
尚、前記フランジ付ピン２４を傾斜させ、前記ロックボルト２５に作用する重力で該ロックボルト２５が前記Ｕ字孔２８から外れる方向の回転力が作用する様にしてもよい。
【００３７】
例えば、図４に於いて、前記フランジ付ピン２４の上端が紙面に対して手前に飛出す方向に傾斜させると、前記ロックボルト２５には前記フランジ付ピン２４を中心として、前記ロックボルト２５の先端が手前に移動する様な回転力が作用する。
【００３８】
前記ロックボルト２５に前記Ｕ字孔２８から外れる様な回転力を作用させることで、前記ロックボルト２５が前記Ｕ字孔２８から外れた状態が安定に維持され、振動等で前記ロックボルト２５が前記Ｕ字孔２８に嵌合することが防止され、他方のロックボルト２５を外す作業が容易となり、又前記ハッチカバー１７の開閉で前記ロックボルト２５と前記係止片２７とが干渉することがなくなり、作業性が更に向上する。
【００３９】
尚、前記ロックボルト２５に回転力を付勢する手段として、スプリング等を用いてもよい。
【００４０】
又、前記ハッチカバー１７を片手作業で確実にロック、ロックの解除ができればよく、図６は第２の実施の形態を示している。
【００４１】
立上がり部１６の内面にレバー支持ピン３１を立設し、該レバー支持ピン３１にロックレバー３２を回転自在に設け、該ロックレバー３２の先端には係合ピン３３を突設する。
【００４２】
前記ハッチカバー１７の内面にはＬ字形状の係止片３４を立設する。該係止片３４と前記係合ピン３３とは前記ハッチカバー１７が閉鎖状態で、前記ロックレバー３２を回転することで嵌脱可能とする。
【００４３】
尚、前記ロックレバー３２には、前記係合ピン３３が前記係止片３４に嵌合した状態、又抜脱した状態で、それぞれ姿勢を保持する保持手段が設けられることが好ましい。例えば、前記係止片３４には前記係合ピン３３が嵌脱可能な浅い凹部が形成され、前記ロックレバー３２の閉状態で前記凹部に前記係合ピン３３が嵌合して前記ロックレバー３２の閉状態が保持される。又前記立上がり部１６には、前記ロックレバー３２の開状態で該ロックレバー３２に当接し、摩擦力を付与するゴム等の摩擦部材が設けられる等である。
【００４４】
第２の実施の形態に於いても、片手作業で簡単に前記ハッチカバー１７のロック、ロック解除が行え、作業性、安全性が向上する。
【００４５】
又、第２の実施の形態の変形としてハッチカバー１７に係止部材として係止ピンを設け、ロックレバーの上端部をフック形状とし、該ロックレバーの回転により、該ロックレバーの上端部が前記係止ピンに嵌脱する様にしてもよい。
【図面の簡単な説明】
【００４６】
【図１】本発明の第１の実施の形態を示す平面図である。
【図２】図１のＡ−Ａ矢視図である。
【図３】図１のＢ−Ｂ矢視図である。
【図４】第１の実施の形態の要部拡大側面図である。
【図５】第１の実施の形態の要部拡大正面図である。
【図６】本発明の第２の実施の形態を示す要部側面図である。
【図７】本発明が実施される立体駐車場の斜視図である。
【図８】図７のＣ矢視図である。
【図９】従来例を示す平面図である。
【図１０】図９のＤ−Ｄ矢視図である。
【符号の説明】
【００４７】
２              ルーフデッキ
３              ルーフデッキ用ハッチ
７              カラー鉄板
１２            開口部
１３            ハッチ用水切り
１５            スカート部
１６            立上がり部
１７            ハッチカバー
１８            取手
１９            蝶番
２３            支持金具
２４            フランジ付ピン
２５            ロックボルト
２６            蝶ナット
２７            係止片
２８            Ｕ字孔
３１            レバー支持ピン
３２            ロックレバー
３３            係合ピン
３４            係止片
【図１】
2009280992.tif 000003
【図２】
2009280992.tif 000004
【図３】
2009280992.tif 000005
【図４】
2009280992.tif 000006
【図５】
2009280992.tif 000007
【図６】
2009280992.tif 000008
【図７】
2009280992.tif 000009
【図８】
2009280992.tif 000010
【図９】
2009280992.tif 000011
【図１０】
2009280992.tif 000012